(57)【要約】【課題】商用電源による電力供給の停止がユーザー操作である場合、予備電源から電力供給を受けずに即時に電子機器の電源がオフになるように制御することができる技術を提供する。【解決手段】電源停止判定回路１９２は、入力電源状態検出部１９１１から出力される商用電源の入力状態を監視して、商用電源による電力供給が停止していないか監視している。電源停止判定回路１９２は、電源操作情報検出部１９０を介して、電源操作受付部１８がオフ操作されたことを検出すると、商用電源による電力供給の停止がユーザー操作によると判定して、電源制御回路１９３に電源オフ信号を出力する。電源制御回路１９３は、電源オフ信号を取得すると、予備電源回路１９５から電力供給を受けずに即時に二次側電源回路１９４への電力供給を停止するとともに、即時に二次側電源回路１９４の動作を停止させ、負荷４０への電力供給を停止して、電子機器の電源をオフに制御する。【選択図】図２
2016102912.tif 000002
【特許請求の範囲】
【請求項１】
商用電源による電力供給が停止すると、予備電源から電力供給を受けて電子機器に電力を供給する電源制御手段を備えた電源装置であって、
ユーザーの電源オフ操作に応じて、前記商用電源による電力供給を停止する電源オフ手段と、
前記ユーザーの電源オフ操作に対応する電源オフ情報を検出して出力する電源オフ情報検出手段と、
前記電源オフ情報を取得して、前記ユーザーの電源オフ操作で前記商用電源による電力供給が停止したか否かを判定する電源停止判定手段とを備え、
前記電源制御手段は、前記電源停止判定手段により前記ユーザーの電源オフ操作で前記商用電源による電力供給が停止したと判定されたときに、前記予備電源から電力供給を受けずに即時に前記電子機器への電力供給を停止する
ことを特徴とする電源装置。
【請求項２】
前記電源オフ手段は、
ユーザーに直接電源オフ操作されて、商用電源電圧の出力を停止する第１の電源オフ手段と、
ユーザーの電源オフ操作を受け付けて、前記第１の電源オフ手段に前記商用電源電圧の出力を停止させる制御信号を出力する第２の電源オフ手段と
を備え、
前記電源オフ情報検出手段は、
前記第１の電源オフ手段の電源オフ情報を検出して出力する第１の電源オフ情報検出手段と、
前記第２の電源オフ手段の電源オフ情報を検出して出力する第２の電源オフ情報検出手段と
を備えたことを特徴とする請求項１に記載の電源装置。
【請求項３】
前記第１の電源オフ手段は、前記商用電源からの電力供給線上に設けられ、
前記第１の電源オフ情報検出手段は、
前記第１の電源オフ手段における入力側電圧のゼロクロス点に同期する入力側ゼロクロス信号と出力側電圧のゼロクロス点に同期する出力側ゼロクロス信号とを前記電源オフ情報としてそれぞれ出力し、
前記電源停止判定手段は、前記入力側ゼロクロス信号を取得して前記出力側ゼロクロス信号を取得できない場合に、前記ユーザーの電源オフ操作で前記商用電源による電力供給が停止したと判定する
ことを特徴とする請求項２に記載の電源装置。
【請求項４】
前記第２の電源オフ手段は、
前記ユーザーの電源オフ操作を受け付けて電源操作信号を出力する電源操作受付手段と、
出力された前記電源操作信号が前記ユーザーの電源オフ操作を受け付ける信号であることを検出して、前記第１の電源オフ手段に前記商用電源電圧の出力を停止させる制御信号を出力する制御信号出力手段とを有し、
前記第２の電源オフ情報検出手段は、前記電源操作受付手段から出力される前記電源操作信号が前記ユーザーの電源オフ操作を受け付ける信号であることを検出して、前記ユーザーの電源オフ操作を受け付けた旨の信号を前記電源オフ情報として出力し、
前記電源停止判定手段は、前記電源オフ情報により、前記電源オフ操作を受け付けたことを検出したときに、前記ユーザーの電源オフ操作で前記商用電源による電力供給が停止したと判定する
ことを特徴とする請求項２又は３に記載の電源装置。
【請求項５】
前記請求項１から４までのいずれか１項に記載の電源装置を搭載したことを特徴とする画像形成装置。
【発明の詳細な説明】
【技術分野】
【０００１】
本発明は、商用電源による電力供給が停止したときに予備電源から電力供給される電源装置及び画像形成装置に係り、特に、ユーザーの電源オフ操作に応じて電力供給を停止する電源装置及び画像形成装置に関する。
【背景技術】
【０００２】
近年、小型化及び高性能化された多数の半導体素子が電子機器に搭載され、電子機器の電源処理が複雑化している。そのため、停電等で商用電源から電子機器への電力供給が突然停止すると、駆動電圧や電源系統の違い等によって一部の半導体素子が停止して、電子機器の各部に不整合が生じる虞がある。また、新興国の中には、商用電源電圧が安定しておらず、瞬間的な停電である瞬時停電（瞬停）が頻発する地域もある。そのため、停電等で電子機器の電源が停止した場合に対応して様々な技術が開発されている（例えば、特許文献１を参照）。
【０００３】
例えば、特許文献１の技術では、商用電源に接続された電源装置の出力電圧を監視する監視リセットＩＣを設けている。監視リセットＩＣは、電源装置の出力電圧が閾値電圧以下になると、電源装置に接続された各部への電力供給を停止する瞬時停電判断用信号を出力し、出力電圧が閾値電圧を超えると、各部に電力供給を開始させて各部を起動する起動信号を出力している。これにより、特許文献１の技術では、瞬停後の電源復帰時に、機器全体がリセットして、各部の整合性が取れた状態で再起動している。
【０００４】
また、従来技術として、機器にバッテリー等の予備電源を設け、商用電源による電力供給が停止したときに、予備電源から電力供給することで、すぐに電子機器の電源をオフしないようにする技術が知られている。
【先行技術文献】
【特許文献】
【０００５】
【特許文献１】特開２０１１−２２９２０９号公報
【発明の概要】
【発明が解決しようとする課題】
【０００６】
ところで、商用電源による電力供給が停止する原因としては、停電だけでなく、意図的にユーザーが電子機器の主電源をオフに操作した場合がある。ユーザー操作により商用電源による電力供給が停止した場合、すぐに機器の電源がオフになるのが望ましいが、一方で、停電によって商用電源による電力供給が停止した場合、すぐに機器の電源がオフになるのは望ましくない。
【０００７】
しかしながら、特許文献１の技術では、商用電源による電力供給が停止すると、常にすぐ機器の電源がオフになってしまっていた。また、上記の従来技術では、ユーザーがスイッチを操作して、意図的に商用電源からの電力供給を停止しても、予備電源に切り替わってしまい、すぐに機器の電源をオフにすることができなかった。
【０００８】
本発明は上記課題に鑑みてなされたものであり、上記課題を解決する技術を提供することを目的とする。
【課題を解決するための手段】
【０００９】
本発明の電源装置は、商用電源による電力供給が停止すると、予備電源から電力供給を受けて電子機器に電力を供給する電源制御手段を備えた電源装置であって、ユーザーの電源オフ操作に応じて、前記商用電源による電力供給を停止する電源オフ手段と、前記ユーザーの電源オフ操作に対応する電源オフ情報を検出して出力する電源オフ情報検出手段と、前記電源オフ情報を取得して、前記ユーザーの電源オフ操作で前記商用電源による電力供給が停止したか否かを判定する電源停止判定手段とを備え、前記電源制御手段は、前記電源停止判定手段により前記ユーザーの電源オフ操作で前記商用電源による電力供給が停止したと判定されたときに、前記予備電源から電力供給を受けずに即時に前記電子機器への電力供給を停止することを特徴とする。
また、前記電源オフ手段は、ユーザーに直接電源オフ操作されて、前記商用電源電圧の出力を停止する第１の電源オフ手段と、ユーザーの電源オフ操作を受け付けて、前記第１の電源オフ手段に商用電源電圧の出力を停止させる制御信号を出力する第２の電源オフ手段とを備え、前記電源オフ情報検出手段は、前記第１の電源オフ手段の電源オフ情報を検出して出力する第１の電源オフ情報検出手段と、前記第２の電源オフ手段の電源オフ情報を検出して出力する第２の電源オフ情報検出手段とを備えてもよい。
また、前記第１の電源オフ手段は、前記商用電源からの電力供給線上に設けられ、前記第１の電源オフ情報検出手段は、前記第１の電源オフ手段における入力側電圧のゼロクロス点に同期する入力側ゼロクロス信号と出力側電圧のゼロクロス点に同期する出力側ゼロクロス信号とを前記電源オフ情報としてそれぞれ出力し、前記電源停止判定手段は、前記入力側ゼロクロス信号を取得して前記出力側ゼロクロス信号を取得できない場合に、前記ユーザーの電源オフ操作で前記商用電源による電力供給が停止したと判定してもよい。
また、前記第２の電源オフ手段は、前記ユーザーの電源オフ操作を受け付けて電源操作信号を出力する電源操作受付手段と、出力された前記電源操作信号が前記ユーザーの電源オフ操作を受け付ける信号であることを検出して、前記第１の電源オフ手段に前記商用電源電圧の出力を停止させる制御信号を出力する制御信号出力手段とを有し、前記第２の電源オフ情報検出手段は、前記電源操作受付手段から出力される前記電源操作信号が前記ユーザーの電源オフ操作を受け付ける信号であることを検出して、前記ユーザーの電源オフ操作を受け付けた旨の信号を前記電源オフ情報として出力し、前記電源停止判定手段は、前記電源オフ情報により、前記電源オフ操作を受け付けたことを検出したときに、前記ユーザーの電源オフ操作で前記商用電源による電力供給が停止したと判定してもよい。
本発明の画像形成装置は、上記に記載の電源装置を搭載したことを特徴とする。
【発明の効果】
【００１０】
本発明によれば、商用電源からの電力供給の停止がユーザー操作である場合、予備電源から電力供給しないで即時に電子機器の電源がオフになるように制御することができる技術を提供することができる。
【図面の簡単な説明】
【００１１】
【図１】本発明に係る実施形態の画像形成装置の機能を示すブロック図である。
【図２】図１に示す電源装置の概略構成図である。
【図３】図２に示す電源装置の処理の流れを示すフローチャートである。
【発明を実施するための形態】
【００１２】
以下、図を参照して本発明の実施形態を詳細に説明する。なお、以下の実施形態において、同様の機能を示す構成には、同一の符号を付してある。
【００１３】
画像形成装置１０は、複写機能、スキャナー機能、ファクシミリ機能、ネットワーク通信機能等を有する複合機（ＭＦＰ：Multi Function Peripheral）であり、図１を参照すると、操作部１１と、通信部１２と、原稿読取部１３と、記憶部１４と、画像処理部１５と、印刷部１６と、ファクシミリ送受信部１７と、電源操作受付部１８と、電源装置１９と、制御部２０とを備えている。
【００１４】
操作部１１は、液晶表示パネルの表面に透明の感圧センサーが設けられた表示手段及び入力手段として機能するタッチパネル、印刷枚数等の数値を入力するためのテンキー、設定情報を初期化させる指示を入力するためのリセットキー、複写動作を停止させたり、入力された数値を消去させたりするためのストップキー、割り込みコピーを指示する割り込みキー、印刷動作を開始させる出力指示を入力するためのスタートキー等の各種操作キーを備えたユーザーインターフェースである。
【００１５】
通信部１２は、ＬＡＮ等のネットワーク１を介して、サーバー３０や不図示のコンピューター端末との間で各種データを送受信する機能を有する。
【００１６】
原稿読取部１３は、図示しない原稿給紙装置により給紙されてきた原稿や、ユーザーによってプラテンガラスに載置された原稿に対して光を照射し、その反射光等を受光して原稿画像を読み取るスキャナーである。
【００１７】
記憶部１４は、半導体メモリやＨＤＤ（Hard Disk Drive）等の記憶手段であり、原稿読取部１３によって読み取られた画像データや、通信部１２によって受信された画像データが蓄積される記憶手段である。
【００１８】
画像処理部１５は、画像データに対して所定の画像処理を行う手段である。画像処理部１５では、例えば、拡大縮小処理や、濃度調整、階調調整等の画像改善処理が行われる。
【００１９】
印刷部１６は、記憶部１４に記憶された画像データを文書画像として印刷する印刷手段である。印刷部１６は、例えば、記憶部１４から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２０】
ファクシミリ送受信部１７は、モデムを有し、原稿読取部１３によって読み取られた画像データや、記憶部１４に記憶されている画像データからファクシミリ信号を生成し、生成したファクシミリ信号を公衆回線網２経由で送信するファクシミリ送信機能と、公衆回線網２経由でファクシミリ信号を受信するファクシミリ受信機能とを備えている。
【００２１】
電源操作受付部１８は、画像形成装置１０の電源オンを指示するユーザーによる電源オン操作と、画像形成装置１０の電源オフを指示するユーザーによる電源オフ操作とを受け付ける。電源操作受付部１８は、ユーザーによる電源オン操作又は電源オフ操作を受け付けると、電源操作信号ａを後述する電源操作情報検出部１９０に出力する。電源操作受付部１８が電源オン操作を受け付けると、電源装置１９を介して、画像形成装置１０の電源がオンに制御され、電源オフ操作を受け付けると、電源装置１９を介して、画像形成装置１０の電源がオフに制御される。なお、例えば、電源オフ操作は、操作部１１に設けられた電源オフを指示するキーが長押し操作されることによって受け付けるようにしても良い。
【００２２】
制御部２０は、操作部１１、通信部１２、原稿読取部１３、記憶部１４、画像処理部１５、印刷部１６、ファクシミリ送受信部１７、電源操作受付部１８及び電源装置１９にそれぞれ接続され、操作部１１から入力された所定の指示情報に応じて画像形成装置１０全体の動作制御を実行する。制御部２０は、ＲＯＭ（Read Only Memory）、ＲＡＭ（Random Access Memory）等を備えたマイクロコンピュータ等の情報処理部である。ＲＯＭには画像形成装置１０の動作制御を行うための制御プログラムが記憶されている。制御部２０は、ＲＯＭに記憶されている制御プログラムを読み出し、制御プログラムをＲＡＭに展開させることで、操作部１２から入力された所定の指示情報に応じて装置全体の制御を行う。なお、制御プログラムは、不図示のネットワーク又は不図示のコンピューター読取可能な記録媒体を介してＲＯＭに記憶されてもよい。
【００２３】
電源装置１９は、商用電源に接続され、ユニット化された電源デバイスとして画像形成装置１０に搭載されている。電源装置１９は、制御部２０と制御部２０に接続されている各部とに電力を供給する。図２には、電源装置１９の概略構成を示すブロック図が示されている。なお、図示で太線は電力供給線を示している。
【００２４】
電源装置１９は、電源操作情報検出部１９０と、一次側電源回路１９１と、電源停止判定回路１９２と、電源制御回路１９３と、複数の二次側電源回路１９４と、予備電源回路１９５とを備えている。
【００２５】
電源操作情報検出部１９０は、画像形成装置１０の電源オン状態で電源操作受付部１８からの電源操作信号ａを取得すると、電源オフ操作として受け付けて、電源スイッチ１９１２に電源オフ操作を指示する制御信号ｂを出力する。電源操作情報検出部１９０は、電源オフ操作を指示する制御信号ｂを出力すると、電源オフ操作を受け付けた旨の信号ｃを電源操作情報として電源停止判定回路１９２に出力する。
【００２６】
電源スイッチ１９１２は、一次側電源回路１９１の入力部側に設けられ、商用電源との接続のオン又はオフを切り換える。電源スイッチ１９１２は、ユーザーが直接操作して商用電源との接続をオン又はオフに切り換え可能に構成されるとともに、電源操作情報検出部１９０から出力される電源オフ操作を指示する制御信号ｂに応じて、商用電源との接続をオンからオフに切り換え可能に構成されている。一次側電源回路１９１は、商用電源電圧が入力されると、ＡＣ−ＤＣコンバーター１９１３によって、商用電源電圧を電源制御回路１９３に適した電圧に変換して、電源制御回路１９３に出力する。
【００２７】
また、一次側電源回路１９１には、商用電源の入力状態を検出する入力電源状態検出部１９１１が設けられている。具体的には、例えば、本実施形態では、入力電源状態検出部１９１１は、電源スイッチ１９１２における入力側電圧のゼロクロス点と出力側電圧のゼロクロス点とを検出するゼロクロス回路で構成される。入力電源状態検出部１９１１は、電源スイッチ１９１２の入力側電圧のゼロクロス点を検出すると、入力側電圧のゼロクロス点に同期した信号（入力側ゼロクロス信号）ｄ１を電源停止判定回路１９２に出力し、電源スイッチ１９１２の出力側電圧のゼロクロス点を検出すると、出力側電圧のゼロクロス点に同期した信号（出力側ゼロクロス信号）ｄ２を出力する。つまり、一次側電源回路１９１に商用電源のＡＣ電圧が入力されている間、電源スイッチ１９１２における入力側ゼロクロス信号ｄ１と出力側ゼロクロス信号ｄ２とが、入力電源状態検出部１９１１から周期的に電源停止判定回路１９２に出力される。
【００２８】
電源停止判定回路１９２は、電源操作情報検出部１９０及び入力電源状態検出部１９１１から出力される信号に含まれる電源オフ情報に基づいて、一次側電源回路１９１に対する商用電源による電力供給が停止したか判定を行う。具体的には、電源停止判定回路１９２は、電源操作情報検出部１９０から出力される電源オフ操作を受け付けた旨の信号ｃと、入力電源状態検出部１９１１から出力される入力側ゼロクロス信号ｄ１と、出力側ゼロクロス信号ｄ２とを監視する。そして、電源停止判定回路１９２は、電源オフ操作を受け付けた旨の信号ｃを取得した場合と、入力側ゼロクロス信号ｄ１があって出力側ゼロクロス信号ｄ２がないことを検出した場合とには、ユーザーの操作で一次側電源回路１９１に対する商用電源による電力供給が停止したと判定し、その旨を示す電源オフ信号ｅ１を電源制御回路１９３に出力する。また、電源停止判定回路１９２は、入力側ゼロクロス信号ｄ１が連続して所定パルス数欠けたことを検出すると、停電で一次側電源回路１９１に対する商用電源による電力供給が停止したと判定し、その旨を示す停電信号ｅ２を電源制御回路１９３に出力する。
【００２９】
なお、通常、電源装置１９は、瞬停で瞬間的に電力供給が停止しても、すぐにはコンデンサの電圧が落ちず、継続して正常動作するように設計されていることが多い。例えば、商用電源が５０／６０Ｈｚであれば、一次側電源回路１９１は、電源入力が停止してから２０ｍｓｅｃ〜５００ｍｓｅｃの間、後段の駆動電圧に影響しない出力電圧を電源制御回路１９３に出力するように設計されている。このことから、電源停止判定回路１９２は、入力側ゼロクロス信号ｄ１が欠けてから、一次側電源回路１９１の出力電圧が後段の駆動電圧に影響する時間の前であって予め定めた所定時間まで、連続して欠けたことを検出すると、停電と判定することとする。
【００３０】
なお、電源停止判定回路１９２は、予備電源回路１９５から供給される電源電圧によって動作しており、瞬停及び停電時にも正常に動作可能に構成されている。
【００３１】
電源制御回路１９３は、一次側電源回路１９１の出力電圧又は予備電源回路１９５の出力電圧のいずれかを複数の二次側電源回路１９４に供給可能に構成されている。電源制御回路１９３は、二次側電源回路１９４を制御して各二次側電源回路１９４に接続されたＣＰＵや画像処理回路、モーター等の負荷４０への電力供給制御を行う。
【００３２】
電源制御回路１９３は、電源がオンのとき、一次側電源回路１９１の出力電圧を二次側電源回路１９４に出力する。停電が生じると、電源制御回路１９３は、電源停止判定回路１９２から停電信号ｅ２を取得して、予備電源回路１９５から電力供給を受ける。これにより、電源制御回路１９３は、予備電源回路１９５から供給される電源電圧により二次側電源回路１９４に電力供給して、二次側電源回路１９４を動作させ、負荷４０への電力供給を継続する。また、電源制御回路１９３は、電源停止判定回路１９２から電源オフ信号ｅ１を取得すると、即時に二次側電源回路１９４への電力供給を停止するとともに、即時に二次側電源回路１９４の動作を停止させ、負荷４０への電力供給を停止する。
【００３３】
予備電源回路１９５は、バッテリー等で構成され、瞬停に対応して少なくとも０．５秒以上の電力を供給可能である。また、予備電源回路１９５は、長時間の停電に対応するため、負荷４０であるモーター等の回生エネルギーや、トナー像の記録紙への定着等で生じる廃熱からの熱変換エネルギーや、別途設けられた太陽電池等の光変換エネルギーで充電されてもよい。また、商用電源が正常である通常時は、一次側電源回路１９１の出力電圧により予備電源回路１９５が充電されてもよい。
【００３４】
複数の二次側電源回路１９４は、ＤＣ−ＤＣコンバーターやＤＣ−ＡＣインバーター等で構成され、それぞれ負荷４０に接続されている。各二次側電源回路１９４は、電源制御回路１９３によって動作制御され、電源制御回路１９３を介して供給される電源電圧を、接続された負荷４０に適した電圧に変換して負荷４０に出力する。
【００３５】
図３を参照して、商用電源による電力供給が停止したときの処理の流れを説明する。以下では、初めに画像形成装置１０が電源オンしており、一次側電源回路１９１に商用電源電圧が入力されているものとする。つまり、電源制御回路１９３は、一次側電源回路１９１の出力電圧を二次側電源回路１９４に出力している。
【００３６】
ステップＡ１０で、電源停止判定回路１９２は、電源操作情報検出部１９０から取得した電源操作情報に基づいて電源オフ操作を受け付けた旨の信号があったか判定する。ステップＡ１０でＮｏの場合、ステップＡ１１で、電源停止判定回路１９２は、入力電源状態検出部１９１１から出力される出力側ゼロクロス信号ｄ２が欠けたか判定する。ステップＡ１１でＮｏの場合、ステップＡ１０に処理が戻る。ステップＡ１１でＹｅｓの場合、ステップＡ１２で、電源停止判定回路１９２は、入力電源状態検出部１９１１から出力される入力側ゼロクロス信号ｄ１が欠けたか判定する。
【００３７】
ステップＡ１２でＹｅｓの場合、ステップＡ１３で、電源停止判定回路１９２は、入力側ゼロクロス信号ｄ１が所定数連続して欠けているか判定する。ステップＡ１３でＮｏの場合、ステップＡ１０に処理が戻る。ステップＡ１３でＹｅｓの場合、ステップＡ１４で、電源停止判定回路１９２は、停電信号ｅ２を電源制御回路１９３に出力する。ステップＡ１５で、停電信号ｅ２を取得した電源制御回路１９３は、予備電源回路１９５から電力供給を受ける。ステップＡ１６で、電源制御回路１９３は、予備電源回路１９５の出力電圧により二次側電源回路１９４に電力供給し、二次側電源回路１９４を継続動作させて負荷４０への電力供給を継続し、本処理を終了する。
【００３８】
一方、ステップＡ１０でＹｅｓの場合、すなわち、ユーザーが電源操作受付部１８を介して電源オフ操作を行った場合、ステップＡ１７に処理が進む。また、ステップＡ１２でＮｏの場合、すなわち、ユーザーが電源スイッチ１９１２を直接操作して一次側電源回路１９１に対する商用電源による電力供給を停止した場合や、何らかの異常により電源スイッチ１９１２が過電流トリップした場合、ステップＡ１７に処理が進む。ステップＡ１７で、電源停止判定回路１９２は、電源オフ信号ｅ１を電源制御回路１９３に出力する。ステップＡ１８で、電源オフ信号ｅ１を取得した電源制御回路１９３は、即時に二次側電源回路１９４の電力供給を停止するとともに、即時に二次側電源回路１９４の動作を停止させ、負荷４０への電力供給を停止して、本処理を終了する。なお、このとき、一次側電源回路１９１は、電源操作情報検出部１９０から出力される電源オフ操作を指示する制御信号ｂにより（ステップＡ１０でＹｅｓ）、又は電源スイッチ１９１２がユーザーに直接操作されるか、何らかの異常で過電流トリップしたことにより（ステップＡ１２でＮｏ）、電源スイッチ１９１２がオフされ、電源制御回路１９３への電力供給が停止している。
【００３９】
このように、本実施形態では、電源オフ操作がなく、一次側電源回路１９１の電源入力状態を示す出力側ゼロクロス信号ｄ２が欠けるとともに入力側ゼロクロス信号ｄ１が所定数連続して欠けた場合に、一次側電源回路１９１に対する商用電源による電力供給が停止したのは停電であると判定して、予備電源回路１９５から電力供給を受けて負荷４０への電力供給を継続する。また、本実施形態では、ユーザーの意図的な電源オフ操作を検出した場合、つまり、電源操作情報検出部１９０から電源オフ操作を受け付けた旨を示す信号ｃが出力されたときや、入力側ゼロクロス信号ｄ１を検出できて出力側ゼロクロス信号ｄ２を検出できないときに、即時に２次電源回路の電力供給を停止するとともに、即時に二次側電源回路１９４の動作を停止させ、負荷４０への電力供給を停止して画像形成装置１０の電源をオフにすることができる。
【００４０】
なお、電源制御回路１９３は、予備電源回路１９５の供給可能容量を把握して、予備電源回路１９５から電力供給する際に、予備電源回路１９５の供給可能容量に対応して電力供給する負荷４０を選択したり、操作部１１に予備電源で稼動している旨を表示させたりしてもよい。
【００４１】
本発明は上述した実施の形態に限定されるものではなく、本発明の趣旨を逸脱しない範囲で種々様々に変更が可能であることは言うまでもない。なお、本実施形態において、電源操作受付部１８と電源操作情報検出部１９０と電源スイッチ１９１２とが電源オフ手段として機能し、電源操作情報検出部１９０と入力電源状態検出部１９１１が電源オフ手段における電源オフ情報を検出する電源オフ情報検出手段として機能する。
【符号の説明】
【００４２】
１  ネットワーク
２  公衆回線網
１０  画像形成装置
１１  操作部
１２  通信部
１３  原稿読取部
１４  記憶部
１５  画像処理部
１６  印刷部
１７  ファクシミリ送受信部
１８  電源操作受付部
１９  電源装置
２０  制御部
３０  サーバー
４０  負荷
１９０  電源操作情報検出部
１９１  一次側電源回路
１９２  電源停止判定回路
１９３  電源制御回路
１９４  二次側電源回路
１９５  予備電源回路
１９１１  入力電源状態検出部
１９１２  電源スイッチ
１９１３  ＡＣ−ＤＣコンバーター
【図１】
2016102912.tif 000003
【図２】
2016102912.tif 000004
【図３】
2016102912.tif 000005